(57)【要約】  高調波注入プッシュプル増幅器に関し、平衡/不平衡変換回路３,４と、その平衡/不平衡変換回路３,４と接続され互いに逆相動作する２つの単位増幅器１,２とを有し、基本信号が入力されるプッシュプル増幅回路５において、２つの単位増幅器１,２のそれぞれに入力側から基本信号の奇数次高調波歪信号を含む高調波歪信号を入力する高調波歪信号発生回路を備え、基本信号と共に奇数次高調波歪信号を入力することにより低歪化を図るようにしたものである。
2010032283.tif 000002
【特許請求の範囲】
【請求項１】
平衡/不平衡変換回路と、その平衡/不平衡変換回路とそれぞれ接続され互いに逆相動作する２つの単位増幅器とを有し、基本信号が入力されるプッシュプル増幅回路、
及び、前記プッシュプル増幅回路の２つの単位増幅器のそれぞれに入力側から前記基本信号の奇数次高調波歪信号を含む高調波歪信号を入力する高調波歪信号発生回路を備え、
前記基本信号と共に前記奇数次高調波歪信号を入力することにより低歪化を図るようにしたことを特徴とする高調波注入プッシュプル増幅器。
【請求項２】
請求項1記載の高調波注入プッシュプル増幅器であって、
前記高調波歪信号発生回路は、入力される前記基本信号の一部を取り出してその奇数次高調波歪信号を生成する奇数次高調波歪信号発生回路、生成されたその奇数次高調波歪信号に適切な振幅と位相を与える振幅位相調整回路、及び前記基本信号と前記振幅位相調整回路の出力である前記奇数次高調波歪信号とを合成する結合回路で構成され、
前記結合回路で合成された前記基本信号と前記奇数次高調波歪信号とを前記プッシュプル増幅回路の入力側から入力することを特徴とする高調波注入プッシュプル増幅器。
【請求項３】
請求項1記載の高調波注入プッシュプル増幅器であって、
前記高調波歪信号発生回路は、入力される前記基本信号の一部を取り出してその奇数次高調波歪信号を生成するてい倍器、生成されたその奇数次高調波歪信号に適切な振幅と位相を与える振幅位相調整回路、及び前記基本信号と前記振幅位相調整回路の出力である前記奇数次高調波歪信号とを合成する結合回路で構成され、
前記結合回路で合成された前記基本信号と前記奇数次高調波歪信号とを前記プッシュプル増幅回路の入力側から入力することを特徴とする高調波注入プッシュプル増幅器。
【請求項４】
請求項1記載の高調波注入プッシュプル増幅器であって、
前記高調波歪信号発生回路は、
入力されるベースバンド信号が基本信号周波数搬送波で直交変調され基本信号が生成される直交変調器、
入力される前記ベースバンド信号から奇数次ベースバンド歪成分を生成する奇数次ベースバンド歪信号生成回路、
前記奇数次ベースバンド歪信号生成回路で生成された奇数次ベースバンド歪信号が前記基本信号周波数搬送波の奇数次倍周波数搬送波を用いて直交変調され奇数次高調波歪信号が生成される奇数次高調波直交変調回路、
及び前記直交変調器で生成された前記基本信号と前記奇数次高調波直交変調回路で生成された前記奇数次高調波歪信号とを合成する結合回路で構成され、
合成された前記結合回路の出力を前記プッシュプル増幅回路に入力するようにしたことを特徴とする高調波注入プッシュプル増幅器。
【請求項５】
請求項1記載の高調波注入プッシュプル増幅器であって、
前記高調波歪信号発生回路は、前記単位増幅器のそれぞれの出力側に発生した高調波を適切な振幅と位相で前記単位増幅器のそれぞれの入力側に帰還させる高調波帰還回路で構成されたことを特徴とする高調波注入プッシュプル増幅器。
【請求項６】
請求項１〜請求項５のいずれか１項に記載の高調波注入プッシュプル増幅器であって、２つの前記単位増幅器のそれぞれの出力側に、奇数次高調波歪信号及び偶数次高調波歪信号の少なくともいずれか一方を適切な振幅と位相で反射させる高調波歪反射回路を備えたことを特徴とする高調波注入プッシュプル増幅器。
【発明の詳細な説明】
【技術分野】
【０００１】
本発明は、通信基地局の送信機などに用いられるプッシュプル増幅器に関し、基本信号と共にその高調波歪信号を入力することにより低歪化を図る高調波注入プッシュプル増幅器に係わるものである。
【背景技術】
【０００２】
従来、増幅器の低歪化を図る手法として、増幅器の入力側から基本信号と共にその偶数次高調波歪信号を入力する方法が報告されている。図１０は例えば非特許文献１に示された偶数次高調波注入により低歪化を図る従来の高調波注入増幅器を示す回路構成図である。入力されたＩ，Ｑベースバンド信号に対し、基本信号経路３１ではＩ，Ｑベースバンド信号を搬送波角周波数ωで直交変調し基本信号を生成する。一方、歪信号経路３２では、Ｉ，Ｑベースバンド信号を偶数次ベースバンド歪発生回路３４で２次及び４次の偶数次歪相当の歪信号に変換し、次に、搬送波角周波数２ωを用いて直交変調し偶数次高調波歪信号を生成する。その偶数次高調波歪信号は、結合回路３６で前記基本信号と合成されて増幅器３７に入力される。増幅素子内部で発生した相互変調歪成分の一部が入力された前記偶数次高調波歪信号により打ち消されることにより増幅器３７の低歪化を図るものである。なお、３３は直交変調回路、３５は直交変調回路である。【０００３】
一般に通信基地局の送信機などに用いられる増幅器では、高出力・高効率性能の要求からバラン（balun）などの平衡/不平衡変換回路(balance-to-unbalance
transformer)を用いたプッシュプル増幅器が多く用いられる。しかし、従来の偶数次高調波歪信号を入力して歪補償を行う方式は、下記理由からプッシュプル構成の増幅器に用いることが困難な問題がある。【０００４】
図１１は、プッシュプル増幅器の構成、及び基本信号を入力し増幅する場合の信号波形の様子を示す回路構成図である。１は単位増幅器Ａ、２は単位増幅器Ｂである。３，４はそれぞれ平衡／不平衡変換回路である。各単位増幅器Ａ，Ｂには
Ｂ級バイアスが印加され、飽和領域で動作しているものとして増幅された出力側の信号波形の様子を示している。搬送波角周波数がωである入力された基本信号はバランにより逆相で各単位増幅器Ａ，Ｂに入力される。この結果、各単位増幅器Ａ，Ｂで増幅された信号波形も互いに逆相となっている。【０００５】
図１２は、図１１で増幅された信号波形をフーリエ級数展開して基本波及び高調波成分に分解したときの様子を示す説明図である。図１２では、説明を簡単にするため、偶数次高調波として２次高調波までを、奇数次高調波として３次高調波までを示している。図１２から分かるように、各単位増幅器Ａ，Ｂで増幅された信号成分のうち、基本波及び３次高調波は、各単位増幅器Ａ，Ｂの出力で互いに逆相になっている。これに対し、２次高調波は同相となっている。【０００６】
次に、前記プッシュプル増幅器の入力側から、基本信号と共に、２次及び３次高調波信号を入力した場合の波形の様子を図１３に示す。入力された基本波、２次、及び３次高調波は平衡/不平衡変換回路３により各単位増幅器Ａ，Ｂに互いに逆相で入力される。一方、各単位増幅器Ａ，Ｂの出力側の信号波形は、各単位増幅器Ａ，Ｂに基本信号のみを入力した場合の出力信号波形をフーリエ級数展開して得られたものであり、図１２の場合と同じものである。図１３から、基本波及び３次高調波については、各単位増幅器Ａ，Ｂで、入出力の波形の位相関係が等しくなっている。【０００７】
一方、２次高調波については、単位増幅器Ａと単位増幅器Ｂで、図に示すように、入出力の波形の位相関係が逆転している。このため、入力された２次高調波を増幅したものと、増幅器内部で発生した２次高調波とが、一方の単位増幅器Ａ（又はＢ）では減算され歪が低減されても、他方の単位増幅器Ｂ（又はＡ）では加算され歪が増大することになる。このため、偶数次高調波を入力側より注入する従来の方法をプッシュプル増幅器に適用しても低歪化が図れない。【０００８】
以上のように、通信基地局のような高出力・高効率な性能が要求される送信機用増幅器などに一般に用いられるプッシュプル増幅器では、低歪化を図るため偶数次高調波歪信号を基本信号と共に入力側から注入する従来の構成は適用できない問題がある。【０００９】
【非特許文献１】若杉健市，  松原裕，  岩井遼太，  野島俊雄、“偶数次歪発生器を用いたデジタルプリディストーションの２GHｚ帯基礎実験”、信学技報、日本国、ＥＭＣＪ２００６−５８，ＭＷ２００６−１１４（２００６−１０）、ｐｐ．４３−４６（プリディストーション:predistortion）
【発明の開示】
【発明が解決しようとする課題】
【００１０】
本発明は、前記問題点に鑑みてなされたものであり、通信基地局のような高出力・高効率な性能が要求される送信機用増幅器などに一般に用いられるプッシュプル増幅回路においても、低歪化を図ることができる高調波注入プッシュプル増幅器を得ることを目的とするものである。
【課題を解決するための手段】
【００１１】
本発明の高調波注入プッシュプル増幅器は、平衡/不平衡変換回路と、その平衡/不平衡変換回路に接続され互いに逆相動作する２つの単位増幅器とを有し、基本信号が入力されるプッシュプル増幅回路において、２つの前記単位増幅器のそれぞれに入力側から前記基本信号の奇数次高調波歪信号を含む高調波歪信号を入力する高調波歪信号発生回路を備え、前記基本信号と共に前記奇数次高調波歪信号を入力することにより低歪化を図るようにしたものである。
【発明の効果】
【００１２】
本発明に係る高調波注入プッシュプル増幅器によれば、基本信号と共に奇数次高調波歪信号を入力することによりプッシュプル増幅回路の低歪化を図ることができる。
本発明の前記以外の目的、特徴、観点及び効果は、図面を参照する以下の本発明の詳細な説明から、さらに明らかになるであろう。
【図面の簡単な説明】
【００１３】
【図１】角周波数ω1,ω2の同相・同振幅の信号が、非線形動作する増幅器に入力された場合の相互変調歪の発生について説明する図である。
【図２】基本信号と共に奇数次高調波歪信号が、非線形動作する増幅器に入力された場合の相互変調歪の発生について説明する図である。
【図３】基本信号と共に奇数次高調波歪信号が、非線形動作する増幅器に入力された場合の相互変調歪ＩＭ3、ＩＭ5成分を示す図である。
【図４】本発明の実施の形態１における高調波注入プッシュプル増幅器を示す回路構成図である。
【図５】本発明の実施の形態２における高調波注入プッシュプル増幅器を示す回路構成図である。
【図６】本発明の実施の形態３における高調波注入プッシュプル増幅器を示す回路構成図である。
【図７】本発明の実施の形態４における高調波注入プッシュプル増幅器を示す回路構成図である。
【００１４】
【図８】本発明の実施の形態５における高調波注入プッシュプル増幅器を示す回路構成図である。
【図９】本発明の実施の形態６における高調波注入プッシュプル増幅器を示す回路構成図である。
【図１０】偶数次高調波歪信号注入により低歪化を図る従来の高調波注入増幅器を示す回路構成図である。
【図１１】プッシュプル増幅器の構成、及び基本信号を入力し増幅する場合の信号波形の様子を示す回路構成図である。
【図１２】図１１において、増幅された信号波形をフーリエ級数展開して基本波及び高調波成分に分解したときの様子を示す説明図である。
【図１３】プッシュプル増幅器の入力側から、基本信号と共に、２次及び３次高調波信号を入力した場合の波形の様子を示す説明図である。
【符号の説明】
【００１５】
１,２  単位増幅器                      ３,４  平衡/不平衡変換回路
５  プッシュプル増幅回路                ６  奇数次高調波歪信号発生回路
７  振幅位相調整回路                    ８  結合回路
９  入力ポート                        １０  基本信号経路
１１  歪信号経路                        １２  出力ポート
１３  てい倍器                          １４  直交変調器
１５  奇数次ベースバンド歪信号生成回路  １６  奇数次高調波直交変調回路
１７,１８  高調波帰還回路                １９,２０  高調波反射回路
【発明を実施するための最良の形態】
【００１６】
初めに、プッシュプル増幅回路の歪を低減できる原理を説明する。ここでは、奇数次高調波歪信号として特に３次高調波歪信号を考え、３次高調波歪信号に適切な振幅及び位相を与えて基本信号と共に入力することにより、プッシュプル増幅回路の歪を低減できることを説明する。【００１７】
このためまず、図1を用いて、角周波数ω1,ω2の同相・同振幅の信号が、非線形動作する増幅器に入力された場合の、相互変調歪の発生について説明する。
このとき、増幅器の入力電圧ｖin及び出力電圧ｖoutは以下のように表せる。
ｖout＝ｇ1ｖin＋ｇ2ｖin2＋ｇ3ｖin3＋ｇ4ｖin4＋ｇ5ｖin5＋Λ    -----------
（１）
ここで、ｇ1は、基本信号に対する増幅率を表し、ｇi（i＝2,3,4,5,Λ）は非線形歪の成分を表す。一般にｇi（i＝2,3,4,5,Λ）はiが増加するのに伴い小さくなる微小量である。【００１８】
ここで、入力電圧ｖinを次式で与える。
ｖin＝ｘ＋ｙ                    ------- （２）
ｘ,ｙは角周波数ω1,ω2の基本信号電圧で、それぞれ以下で与えられる。
ｘ＝cosω1t -------  （３）
ｙ＝cosω2t -------  （４）【００１９】
式（２）を式（１）に代入すると、右辺の各項の成分は以下となる。
ｇ1ｖin＝ｇ1（ｘ＋ｙ）                                          --------  （５）
ｇ2ｖin2＝ｇ2（ｘ2＋２ｘｙ＋ｙ2）                            ---------
（６）
ｇ3ｖin3＝ｇ3（ｘ3＋３ｘ2ｙ＋３ｘｙ2＋ｙ3）                  --------  （７）
ｇ4ｖin4＝ｇ4（ｘ4＋４ｘ3ｙ＋６ｘ2ｙ2＋４ｘｙ3＋ｙ4）        -------
（８）
ｇ5ｖin5＝ｇ5（ｘ5＋５ｘ4ｙ＋１０ｘ3ｙ2＋１０ｘ2ｙ3＋５ｘｙ4＋ｙ5）  （９）
【００２０】
式（５）は基本信号の増幅を示す。
式（６）〜（９）の残りの項は、増幅器の非線形により発生するものである。このうち、増幅器の出力に設けたフィルタにより除去できない３次の相互変調歪ＩＭ3や５次の相互変調歪ＩＭ5などの奇数次相互変調歪が、帯域外スプリアス（spurious）の増大や信号品質の劣化などの問題を引き起こすため、その低減が必要となる。
ここで、ＩＭ3、ＩＭ5は、式（６）〜（９）において、特に以下の成分により生じる。
ＩＭ3成分；  ｇ3３ｘ2ｙ, ｇ3３ｘｙ2, ｇ5５ｘ4ｙ,
ｇ5１０ｘ3ｙ2, 
ｇ5１０ｘ2ｙ3, ｇ5５ｘｙ4                  ----------  （１０）
ＩＭ5成分; ｇ5１０ｘ3ｙ2, ｇ5１０ｘ2ｙ3              ----------  （１１）
【００２１】
次に、図２に示すように、基本信号と共に奇数次高調波歪信号を入力側から注入した場合について述べる。図２では、説明を簡単にするため、奇数次高調波歪信号を、３次の高調波としている。増幅器の入力電圧ｖin3及び出力電圧ｖout3は以下のように表せる。
ｖout3＝ｇ1ｖin3＋ｇ2ｖin32＋ｇ3ｖin33＋ｇ4ｖin34＋ｇ5ｖin35＋Λ      （１２）
このとき、入力電圧ｖin3は次式で与えられる。
ｖin3＝ｘ＋ｙ＋ｂｘ3＋ｂｙ3  ----- （１３）
ｘ3，ｙ3は角周波数３ω1,３ω2の高調波成分の電圧で、それぞれ以下で与えられる。
ｘ3＝cos３ω1t -------- （１４）
ｙ3＝cos３ω2t -------- （１５）【００２２】
式（１３）を式（１２）に代入し、前述と同様の方法でＩＭ3、ＩＭ5成分を求めると、図３に示す結果が得られる。係数の大きな項に着目すると、ｂが次式を満足するように選ぶことによりＩＭ3の低減が可能である。
ｇ3３ｘ2ｙ＋ｇ3６ｂｘｘ3ｙ≒０    ｇ3３ｘｙ2＋ｇ3６ｂｙｙ3ｘ≒０  
（１６）
また、ｂが次式を満足するように選ぶことによりＩＭ5の低減が可能である。
ｇ5１０ｘ3ｙ2＋ｇ3３ｂｙ2ｘ3≒０
ｇ5１０ｘ2ｙ3＋ｇ3３ｂｘ2ｙ3≒０                          -------
（１７）
すなわち、奇数次高調波歪信号を入力することにより、ＩＭ3、ＩＭ5などの相互変調歪を低減することが可能である。【００２３】
実施の形態１．
図４は本発明の実施の形態１における高調波注入プッシュプル増幅器を示す回路構成図である。プッシュプル増幅回路５は、単位増幅器１,２、及びそれらの入力側と出力側にそれぞれ接続されたバランなどの入力側平衡/不平衡変換回路３,出力側平衡/不平衡変換回路４で構成される。換言すれば、プッシュプル増幅回路５は、入力側平衡/不平衡変換回路３、その入力側平衡/不平衡変換回路３にそれぞれ接続された単位増幅器１,２、及びそれらの単位増幅器１,２のそれぞれの出力側が接続されその単位増幅器１,２の出力が合成される出力側平衡/不平衡変換回路４で構成される。プッシュプル増幅回路５の入力側には、プッシュプル増幅回路５へ入力される基本信号の一部を取り出して、基本信号の奇数次高調波歪信号を生成する奇数次高調波歪信号発生回路６、その奇数次高調波歪信号に適切な振幅と位相を与える振幅位相調整回路７、及び基本信号と前記奇数次高調波歪信号とを合成する結合回路８を設けている。【００２４】
以下動作について説明する。入力ポート９から入力された基本信号は、基本信号経路１０及び歪信号経路１１の２つの経路に分割される。基本信号経路１０を通る基本信号はそのまま通過する。他方、歪信号経路１１では、奇数次高調波歪信号発生回路６及び振幅位相調整回路７により、適切な振幅と位相を有する奇数次高調波歪信号が生成される。生成された奇数次高調波歪信号と前記基本信号とは結合回路８で合成され、プッシュプル増幅回路５の平衡/不平衡変換回路３に入力される。平衡/不平衡変換回路３を経て、各単位増幅器１,２に互いに逆相の基本信号とその奇数次高調波歪信号とが入力され増幅される。あらかじめ奇数次高調波歪信号の振幅と位相特性を適切に選ぶことにより（換言すれば、歪を低減するように設定された所望な振幅と位相を選ぶことにより）、各単位増幅器１,２の内部で発生した歪信号成分を打ち消すことができ、出力ポート１２に現れる歪信号を低減することができる。なお、奇数次高調波歪信号発生回路６、振幅位相調整回路７及び結合回路８で高調波歪信号発生回路が構成される。奇数次高調波歪信号の適切な振幅と位相は、前述の式（１６）（１７）より奇数次高調波歪信号について求めることができる。【００２５】
このように、実施の形態１の高調波注入プッシュプル増幅器は、入力側平衡/不平衡変換回路３と、その入力側平衡/不平衡変換回路３にそれぞれ接続され互いに逆相動作する２つの単位増幅器１,２と、それらの単位増幅器１,２のそれぞれの出力側が接続されその単位増幅器１,２の出力が合成される出力側平衡/不平衡変換回路４とを有し、基本信号が入力されるプッシュプル増幅回路、及び、前記プッシュプル増幅回路の２つの単位増幅器のそれぞれに入力側から前記基本信号の奇数次高調波歪信号を含む高調波歪信号を入力する高調波歪信号発生回路を備え、前記基本信号と共に前記奇数次高調波歪信号を２つの前記単位増幅器１,２にそれぞれ入力することにより低歪化を図るようにしたものである。
なお、本発明の基本信号の奇数次高調波歪信号を含む高調波歪信号を入力する高調波歪信号発生回路、換言すれば、奇数次高調波歪信号発生回路における奇数次高調波歪信号を含む高調波歪信号は，具体的に言うと、例えば、基本入力信号を３てい倍した場合に発生する３次高調波歪信号がそれに相当し、少なくとも奇数次高調波を含んだ信号である。一方、従来の偶数次高調波歪信号を含む高調波歪信号は、具体的に言うと、例えば、基本入力信号を２てい倍した場合に発生する２次高調波歪信号がそれに相当する。従来技術では、シングルエンド増幅器に、偶数次高調波歪信号を入力することにより、増幅器内部で発生する相互変調歪成分を打ち消し歪を抑圧することができるが，これをプッシュプル増幅器に適用しようとすると原理的にそれができない。これに対して、奇数次高調波歪信号を用いる場合には，プッシュプル増幅器の相互変調歪成分を打ち消し歪を抑圧することが可能となる。【００２６】
実施の形態２．
図５は本発明の実施の形態２における高調波注入プッシュプル増幅器を示す回路構成図である。なお、各図中において、同一符号は同一又は相当部分を示し、説明を省略する。図４の実施の形態１による奇数次高調波歪信号発生回路６の部分に、３次高調波を発生するてい倍器１３を用いて、入力される基本信号の一部を取り出してその奇数次高調波歪信号を生成するもので、その動作、及び効果は図４の実施の形態１の場合と同じである。【００２７】
実施の形態３．
図６は本発明の実施の形態３における高調波注入プッシュプル増幅器を示す回路構成図である。ここでは、入力ポート９にＩ，Ｑベースバンド信号が印加される。基本信号経路１０には直交変調器１４が装荷され、Ｉ，Ｑベースバンド信号は基本信号周波数搬送波ωで直交変調され基本信号が生成される。一方、歪信号経路１１では、入力したＩ，Ｑベースバンド信号から奇数次ベースバンド歪成分を生成する奇数次ベースバンド歪信号生成回路１５と、その奇数次ベースバンド歪信号を入力基本信号周波数搬送波ωの奇数次倍周波数搬送波３ωを用いて直交変調する奇数次高調波直交変調回路１６が装荷されている。奇数次ベースバンド歪成分は、奇数次高調波直交変調回路１６で直交変調され、これにより、奇数次高調波歪信号が生成される。前記基本信号と前記奇数次高調波歪信号とは結合回路８で合成され、プッシュプル増幅回路５へ入力される。このような、構成にしても、図４に示す実施の形態１の場合と同様な効果を得ることができる。【００２８】
実施の形態４．
図７は本発明の実施の形態４における高調波注入プッシュプル増幅器を示す回路構成図である。プッシュプル増幅回路５の２つの単位増幅器１,２のそれぞれの入出力間に奇数次高調波歪信号を含む高調波歪信号を適切な振幅と位相で帰還する高調波帰還回路１７,１８を装荷している。これにより、単位増幅器１,２の出力側に発生した高調波歪信号を適切な振幅と位相を与えて（換言すれば、歪を低減するように設定された所望な振幅と位相を与えて）、再び単位増幅器１,２に入力している。この場合、偶数次及び奇数次高調波歪信号のいずれについても、各単位増幅器１,２の歪を同時に低減でき、この結果、出力ポート１２に現れる歪信号を低減することができる。なお、高調波帰還回路１７,１８で帰還される適切な振幅と位相は、前述の式（１６）（１７）より奇数次高調波歪信号について求めることができる。【００２９】
実施の形態５．
図８は本発明の実施の形態５における高調波注入プッシュプル増幅器を示す回路構成図である。図４に示す実施の形態１に対して異なる部分を主に説明する。プッシュプル増幅器５の２つの単位増幅器１,２のそれぞれの出力側に、奇数次高調波及び偶数次高調波の一方又は両方を設定された所望で適切な振幅及び位相で反射させる高調波反射回路１９,２０を装荷している。各単位増幅器１,２からの出力のうち、基本信号成分はそのまま出力側平衡/不平衡変換回路４で合成され出力ポート１２に出力される。一方、各単位増幅器１,２から出力された高調波歪信号成分はそれぞれ適切な振幅と位相で反射され、各単位増幅器１,２で発生した高調波歪信号成分と再び結合されることにより、歪を打ち消すことができる。入力側から高調波を注入する場合と異なり、この場合、偶数次及び奇数次高調波歪信号のいずれについても、各単位増幅器１,２の歪を同時に低減でき、この結果、出力ポート１２に現れる歪信号を低減することができる。なお、高調波反射回路１９,２０で反射される適切な振幅と位相は、前述の式（１６）（１７）より奇数次高調波歪信号について求めることができる。【００３０】
実施の形態６．
図９は本発明の実施の形態６における高調波注入プッシュプル増幅器を示す回路構成図である。図８に示す実施の形態５の構成における奇数次高調波歪信号発生回路６、振幅位相調整回路７、結合回路８、及び高周波反射回路１９,２０と、図７の実施形態４の構成における高調波帰還回路１７,１８とを同時に設ける構成としたものである。このような構成でも、偶数次及び奇数次高調波歪信号のいずれについても、各単位増幅器１,２の歪を同時に低減でき、この結果、出力ポート１２に現れる歪信号を低減することができる。【００３１】
以上の説明において、単位増幅器は１段増幅器に限らず多段構成であってもよい。また、単位増幅器は並列に増幅素子を配置して電力合成を図った電力合成形増幅器であってもよい。また、本発明による高調波注入マイクロ波プッシュプル増幅器は、フィードフォワードやデジタルプリディストータなどの他の歪補償回路と組み合わせて用いることもできる。
また、各実施の形態の部分構成は、その動作原理から、プッシュプル構成の増幅器だけでなく、平衡/不平衡変換回路を用いないシングルエンド形増幅器、バランス形増幅器、コーポレート電力合成形増幅器などにも応用することもできる。【００３２】
本発明の各種の変形又は変更は、関連する熟練技術者が、この発明の範囲と精神を逸脱しない中で実現可能であり、この明細書に記載された各実施の形態には制限されないことと理解されるべきである。
【図１】
2010032283.tif 000003
【図２】
2010032283.tif 000004
【図３】
2010032283.tif 000005
【図４】
2010032283.tif 000006
【図５】
2010032283.tif 000007
【図６】
2010032283.tif 000008
【図７】
2010032283.tif 000009
【図８】
2010032283.tif 000010
【図９】
2010032283.tif 000011
【図１０】
2010032283.tif 000012
【図１１】
2010032283.tif 000013
【図１２】
2010032283.tif 000014
【図１３】
2010032283.tif 000015
【国際調査報告】
2010032283.tif 000016
2010032283.tif 000017